(57)【要約】      （修正有）【課題】お中元、お歳暮、誕生祝い、出産祝い、及び結婚などのお祝い又はお祝いをもらったお返しとして「ギフトや贈り物として食品他である商品等」を送った個人に対して、前記商品等の送付を受託した企業等の送付受託者が、送付を受託した前記商品等と「同一商品等である商品等サンプル」を贈る（送る）。【解決手段】贈答品の送付者が、予め定めた送付先の対象ジャンル（家族や友人等）に係る贈答品を選択した時、サンプル商品等の送付条件の選択項目を合わせて選択可能に表示し、サンプル商品等の送付が選択された場合、店舗や通販企業等の贈答品の送付受託者が、贈る商品等の指定サンプルを、贈答品の送付者宛てに送付する。【選択図】図１
2016218987.tif 000002
【特許請求の範囲】
【請求項１】
家族や友人等の特定ジャンルの人宛てに、お中元、お歳暮、誕生祝い、出産祝い、及び結婚などのお祝い又はお祝いをもらったお返しとして「ギフトや贈り物として商品等」を送る送付者に対して、前記送付受託者が前記送付者から受託した前記商品等と同じ商品等である「気づかいのご褒美サンプル商品等」の送付を支援する、気づかいのご褒美サンプル商品等の送付支援システムであって、前記気づかいのご褒美サンプル商品等の送付支援システムは、記憶装置、気づかいのご褒美サンプル商品等送付付き商品等の表示及び選択手段、編集手段、受信手段、及び、送信手段を備え、前記送付者の情報端末及び前記送付受託者に対しネットワークを介して通信可能にされており、前記記憶装置は、ギフトや贈り物として商品等の送付注文データと、前記気づかいのご褒美サンプル商品等データ（各商品等毎の「気づかいのご褒美サンプル商品等の送付条件」が含まれる）と、前記送付者を特定するデータのデータを格納しており、前記受信手段が、前記送付者の情報端末又は前記送付受託者の情報端末からネットワークを介してアクセスを受信した場合には、前記気づかいのご褒美サンプル商品等送付付き商品等の表示及び選択手段が、前記送付者からの「前記ギフトや贈り物として商品等の発注と、前記気づかいのご褒美サンプル商品等と、各商品等毎の「気づかいのご褒美サンプル商品等の送付条件」の選択項目とを含んだ前記商品等の送付発注受付書データを表示し、前記気づかいのご褒美サンプル商品等と、各商品等毎の「気づかいのご褒美サンプル商品等の送付条件」の選択項目とが合わせて選択された場合には、前記編集手段が、前記送付者宛てに前記気づかいのご褒美サンプル商品等を送付するための送付用データを作成し、送信手段から、前記送付受託者の情報端末宛てに送信することを特徴とする、前記気づかいのご褒美サンプル商品等の送付支援システム
【請求項２】
前記気づかいのご褒美サンプル商品等送付付き商品等の表示及び選択手段が、前記商品等の送付発注受付書データを表示する場合には、前記気づかいのご褒美サンプル商品等の受注限度数量を合わせて表示し、前記受注限度数量内の受注のみ有効とすることを特徴とする、前記請求項１に記載の前記気づかいのご褒美サンプル商品等の送付支援システム
【請求項３】
前記気づかいのご褒美サンプル商品等送付付き商品等の表示及び選択手段が、前記商品等の送付発注受付書データを表示する場合には、個別の前記送付者毎に、同一の前記気づかいのご褒美サンプル商品等の発注に対しての受注限度数量を合わせて表示し、前記受注限度数量内の受注のみ有効とすることを特徴とする、前記請求項１又は請求項２に記載の前記気づかいのご褒美サンプル商品等の送付支援システム
【発明の詳細な説明】
【発明の詳細な説明】
【技術分野】
【０００１】本発明は、家族や友人などの人への気づかいとして、お中元、お歳暮、誕生祝い、出産祝い、及び結婚などのお祝い又はお祝いをもらったお返しとして「ギフトや贈り物として食品他である商品等」を送った個人に対して、前記商品等の送付を受託した企業等の送付受託者が、その気づかいへの「ご褒美」として、送付を受託した前記商品等と「同一商品等である商品等サンプル」を贈る（送る）ことを支援する、コンピュータ管理システムに関し、特にインターネット等のネットワークに接続されたサーバ及びプログラムに事業運営の大部分を委ねたインターネット等のネットワークに係る気づかいのご褒美サンプル商品等の送付支援システムに関する。
【背景技術】
【０００２】お中元、お歳暮、誕生祝い、出産祝い、及び結婚などのお祝い又はお祝いをもらったお返しとして「ギフトや贈り物として商品等」を送った個人に対して、前記送付受託者である店舗等が、送る前記商品等の試食として、送る前記商品等と同一種類の食品等を提供することはあった。又、インターネット等のネットワーク等を経由した通信販売では、前記送付者が、他者に送る全域商品等を、自分も消費する目的で、同一の前記商品等を購入することもあった。（自己消費等と呼ばれている）
【先行技術文献】
【特許文献】
【０００３】
【特許文献１】特開２０１３−１８９２９２依頼主から、同一の届け先に、複数商品の配送を依頼された場合に、それら複数商品が抱き合わせ配送可能であるか否かの判定と、その後の伝票処理とを自動的に行うことが可能なギフト商品の受注配送管理装置及び受注配送管理方法である。【０００４】この技術は、依頼主から、同一の届け先への贈答品の送付を効率よく行う事を支援するシステムであり、依頼者へ、依頼された同一商品等を送付することの出来るシステムではなかった。また、その依頼された同一商品等を送付する商品等を限定する為に、送付先の対象ジャンルを選択させることの出来るシステムでもなかった。
【発明の概要】
【発明が解決しようとする課題】
【０００５】前記特許文献１の技術では、前記送付人が、前記商品等の送付する場合に、送付する対象のジャンル（家族、他）を特定し、その送付する対象のジャンルへの前記商品等の送付に限り、送付する前記商品等と同一の前記商品等のサンプルを送付することは出来なかった。【０００６】そこで、本発明の技術では、前記送付者からの前記商品等の発送の受託時に、「前記送付者に対して、受託した前記商品等と同一の前記商品等のサンプルを送付する前記商品等のリスト」と、「受注できる限定数量」と、「送付対象者の対象ジャンル」とを提示し、前記送付者に選択させることで、予め前記商品毎に定めた前記送付対象者の対象ジャンル（家族や友人など）への気づかいとして、送付を受託した前記商品等と同一の前記商品等のサンプルを前記送付者宛てに送付することを、本発明に係るコンピュータシステムによって支援する。
【課題を解決するための手段】
【０００７】本発明は、家族や友人等の特定ジャンルの人宛てに、お中元、お歳暮、誕生祝い、出産祝い、及び結婚などのお祝い又はお祝いをもらったお返しとして「ギフトや贈り物として商品等」を送る送付者に対して、前記送付受託者が前記送付者から受託した前記商品等と同じ商品等である「気づかいのご褒美サンプル商品等」の送付を支援する、気づかいのご褒美サンプル商品等の送付支援システムであって、前記気づかいのご褒美サンプル商品等の送付支援システムは、記憶装置、気づかいのご褒美サンプル商品等送付付き商品等の表示及び選択手段、編集手段、受信手段、及び送信手段を備え、前記送付者の情報端末及び前記送付受託者に対しネットワークを介して通信可能にされており、前記記憶装置は、ギフトや贈り物として商品等の送付注文データと、前記気づかいのご褒美サンプル商品等（各商品等毎の「気づかいのご褒美サンプル商品等の送付条件」が含まれる）と、前記送付者を特定するデータのデータを格納しており、前記受信手段が、前記送付者の情報端末又は前記送付受託者の情報端末からネットワークを介してアクセスを受信した場合には、前記気づかいのご褒美サンプル商品等送付付き商品等の表示及び選択手段が、前記送付者からの「前記ギフトや贈り物として商品等の発注と、前記気づかいのご褒美サンプル商品等と、各商品等毎の「気づかいのご褒美サンプル商品等の送付条件」の選択項目とを含んだ前記商品等の送付発注受付書データを表示し、前記気づかいのご褒美サンプル商品等と各商品等毎の「気づかいのご褒美サンプル商品等の送付条件」の選択項目とが合わせて選択された場合には、前記編集手段が、前記送付者宛てに前記気づかいのご褒美サンプル商品等を送付するための送付用データを作成し、送信手段から前記送付受託者の情報端末宛てに送信することを特徴とする前記気づかいのご褒美サンプル商品等の送付支援システムである。【０００８】かかる構成によれば、家族や友人等の特定ジャンルの人宛てに、お中元、お歳暮、誕生祝い、出産祝い、及び結婚などのお祝い又はお祝いをもらったお返しとして「ギフトや贈り物として食品他である商品等」を送った個人に対して、前記商品等の送付を受託した企業等の送付受託者が、その気づかいへの「ご褒美」として、送付を受託した前記商品等と「同一商品等である商品等サンプル」を贈る（送る）ことが出来るようになる。【０００９】本発明は、前記気づかいのご褒美サンプル商品等送付付き商品等の表示及び選択手段が、前記商品等の送付発注受付書データを表示する場合には、前記気づかいのご褒美サンプル商品等の受注限度数量を合わせて表示し、前記受注限度数量内の受注のみ有効とすることを特徴とする、前記請求項１に記載の前記気づかいのご褒美サンプル商品等の送付支援システムである【００１０】かかる構成によれば、前記送付受託者が、前記商品等毎に「送付を受託した前記商品等と「同一商品等である商品等サンプル」を贈る（送る）数量を限定することが出来るようになる。【００１１】本発明は、前記気づかいのご褒美サンプル商品等送付付き商品等の表示及び選択手段が、前記商品等の送付発注受付書データを表示する場合には、個別の前記送付者毎に、同一の前記気づかいのご褒美サンプル商品等の発注に対しての受注限度数量を合わせて表示し、前記受注限度数量内の受注のみ有効とすることを特徴とする、前記請求項１又は請求項２に記載の前記気づかいのご褒美サンプル商品等の送付支援システムである。【００１２】かかる構成によれば、前記送付受託者が、前記送付者毎に対して、送付を受託した前記商品等と「同一商品等である商品等サンプル」を贈る（送る）数量を、前記商品等毎に限定することが出来るようになる。
【発明の効果】
【００１３】家族や友人等の特定ジャンルの人宛てに、お中元、お歳暮、誕生祝い、出産祝い、及び結婚などのお祝い又はお祝いをもらったお返しとして「ギフトや贈り物として食品他である商品等」を送った個人に対して、前記商品等の送付を受託した企業等の送付受託者が、その気づかいへの「ご褒美」として、送付を受託した前記商品等と「同一商品等である商品等サンプル」を贈る（送る）ことが出来るようになる。【００１４】これによって、特に贈り物（前記商品等）として食品を送った場合には、贈った相手が食べる前記贈り物（前記商品等）と同一の種類の食品を、前記送付者自身も味わうことが出来るので、前記贈り物（前記商品等）の送付に合わせて、電話等で「美味したったね。」といった、共通の話題でコミュニケーションがとれるようになるのである。これは、遠く離れている親等とのコミュニケーションの「素晴らしいきっかけ」を提供することが出来るようになる。また、前記送付受託者にとっては、前記送付者が、送付する前記商品等を自分も味わう機会の提供をすることによって、自分も前記商品等が欲しくなり自分用に注文するといった、販促効果も生むことになるのである。【００１５】及び、送付を受託した前記商品等と「同一商品等である商品等サンプル」を贈る（送る）ことが出来る「前記家族や友人等の特定ジャンル」の候補を、前記商品毎に前記送付者に選択させることで、前記送付受託者が、前記商品毎に、「気づかいを行う対象特ジャンル」毎の提供が可能となる。（例、例えば、「家族」への気づかいのご褒美と、バレンタインでの「社内男性への気づかい」のご褒美では、設定する前記商品等や数量が異なる）【００１６】そして、前記商品毎に、受託する数量を限定できることで、送付する前記商品等に係るサンプルを用意する数量枠を指定することが出来る。及び、前記送付者毎に、前記商品等に係る送付する前記商品等に係るサンプルの数量を限定することで、同一の前記商品等に係る個人への提供を数量枠を指定することが出来るようにもなる。
【図面の簡単な説明】
【００１７】
【図１】気づかいのご褒美サンプル商品等の送付支援システムのブロック構成図である
【図２】気づかいのご褒美サンプル商品等の送付支援システムのフロー図の例１である
【図３】送付者に表示し選択させる「前記商品等の送付発注受付書データ」の１例を示す図である
【発明を実施するための形態】
【００１８】次に、本発明の実施形態について、お中元、お歳暮、誕生祝い、出産祝い、及び結婚などのお祝い又はお祝いをもらったお返しとして「ギフトや贈り物として食品他である商品等」を贈る個人から、前記商品等の送付を受託した企業等の送付受託者が、インターネット等のネットワークを介して通信可能に接続される前記送付者の情報端末に対して、その贈答の気づかいへの「ご褒美」として、送付を受託した前記商品等と「同一商品等である商品等サンプル」を贈る（送る）ことを支援する場合について、適宜図面を参照しながら詳細に説明する。
【００１９】図１は前記気づかいのご褒美サンプル商品等の送付支援システム（１）のブロック構成図である。図１に示す前記気づかいのご褒美サンプル商品等の送付支援システム（１）は、インターネットなどのネットワークに接続可能なサーバを中核とし、そのサーバの管理下にあるデータベースを伴って「前記送付者に対して、送付先のジャンルによって、送付を発注した前記商品等と「同一商品等である商品等サンプル」を贈る（送る）ことを実施する又は補助するためのコンピュータシステム又はプログラム」である。
【００２０】前記気づかいのご褒美サンプル商品等の送付支援システム（１）は、前記記憶装置（２）、前記気づかいのご褒美サンプル商品等送付付き商品等の表示及び選択手段（３）、前記編集手段（４）、前記受信手段（５）及び前記送信手段（６）を備えており、これらは前記気づかいのご褒美サンプル商品等の送付支援システム（１）に配設されたそれぞれのコンピュータプログラムを実行することにより機能する。前記記憶手段（２）には、前記ギフトや贈り物として商品等の送付注文データ（９）、気づかいのご褒美サンプル商品等（１０）、前記送付者を特定するデータ（１１）の少なくともいずれか１つが記憶されている。及び、前記気づかいのご褒美サンプル商品等の送付支援システム（１）は、インターネット等のネットワークを介して、パーソナルコンピュータ又は携帯端末を意味する情報端末である前記送付者の情報端末（７）、前記送信受託者の情報端末（８）のいずれか少なくとも１つとの間での情報通信が自在であるとの前提である。
【００２１】１例として、前記送付受託者が予め定めた、「送付を受託した前記商品等と同一商品等である商品等の送付」を、前記送付者が選択し、前記送付者宛てに、送付を発注した前記商品等と同一商品等である商品等の送付を実施又は補助する情報処理を、図２に沿ってその手順を説明する。
【００２２】まず、前記気づかいのご褒美サンプル商品等の送付支援システム（１）の前記受信部（５）へのアクセス及び贈答品の送付の発注の入力方法は２つある、１つは、前記送信者の情報端末（７）から直接インターネット等のネットワークを介して入力される。もう１つは、店舗等で前記送付者が前記送付受託者に対して、贈答品の送付の発注の旨を伝達し、前記送付受託者が前記送付受託者の情報端末（８）からインターネット等のネットワークを介して入力する方法である。前記受信部（５）はどちらのアクセスも、前記気づかいのご褒美サンプル商品等送付付き商品等の表示及び選択手段（３）に送る。すると、前記前記気づかいのご褒美サンプル商品等送付付き商品等の表示及び選択手段（３）は、前記送付者が行った前記商品等又は贈答品のジャンルの選択に基づいて、前記記憶装置（２）に記憶されている「気づかいのご褒美サンプル付き商品等データ（１０）」と「商品等別の送付先の対象ジャンル（１１）」を検索抽出し、図３に例示したような、前記送付者に表示し選択させるための「前記商品等の送付発注受付書データ（９）」を作成して提示する。この送付者に表示し選択させる「前記商品等の送付発注受付書データ（９）」には、「気づかいのご褒美サンプル商品等送付付き商品等」と、「送付先の対象ジャンル」（前記「気づかいのご褒美サンプル商品等送付付き商品等毎の）の候補が表示されている。又、前記送付者の住所と贈答品の送付先の住所も記載されている。
【００２３】前記送付者（又は前記送付者から依頼を受けた前記送付受託者）は、表示された「気づかいのご褒美サンプル商品等送付付き商品等」と「送付先の対象ジャンル」に記載の候補から選択をする。（□内にチェックを入れる）  例えば、「気づかいのご褒美サンプル商品等送付付き商品等リスト」の中の「Ａ商品」は、現在、注文可能な残数が１００個あるので注文をする事が可能であるが「Ｂ商品」は、注文可能な残数が０であり、注文は出来ない。また、同一の前記送信者に対して、例えば、１個のみに注文可能数を設定できるようにしても良い。（サンプルは、同じ商品等を２つ以上発注をしても、同一の前記送付者毎に１つの送付で良いからである）
【００２４】すると、前記編集手段が、前記記憶装置（２）に記憶されている前記商品等の送付発注受付書データ（９）から前記送信者に係る送付先を検索抽出した上で、前記送信者あての「ご褒美サンプル商品等」（前記送付者自身が送付を発注した前記商品等と「同一商品等である商品等サンプル」）の送付表（送付指示書）を編集作成し、前記送信手段（６）に送る。そして、前記送信手段（６）はインターネット等のネットワークを介して、前記送付受託者の情報端末（８）に、作成された前記送付表（送付指示書）を送信する。この前記前記送付表（送付指示書）に基づいて、前記送付受託者は、前記商品等又はそのサンプルを、前記送付者に送付する。  これを受け取った前記送付者は、自分が対象ジャンル（家族や友人等）に贈った前記商品等を味見する等して、その前記商品等の味などを話題として、贈った相手と電話等でコミュニケーションをとれる事になるのである。
【産業上の利用可能性】
【００２５】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００２６】  （１）  前記気づかいのご褒美サンプル商品等の送付支援システム
（２）  前記記憶装置
（３）  気づかいのご褒美サンプル商品等送付付き商品等の表示及び選択手段
（４）  編集手段
（５）  受信手段
（６）  送信手段
（７）  送付者の情報端末
（８）  送信受託者の情報端末
（９）  前記商品等の送付発注受付書データ
（１０）  気づかいのご褒美サンプル付き商品等データ
（１１）  商品等別の送付先の対象ジャンル
【図１】
2016218987.tif 000003
【図２】
2016218987.tif 000004
【図３】
2016218987.tif 000005